(57)【要約】【課題】ハンドルを備えた排水タンクの蓋体に設けたハンドル挿通穴から、運搬中などに水がこぼれるおそれのない排水タンクを備えた除湿機を提供する。【解決手段】外気を吸引して除湿された空気を加熱する熱交換手段２０と、加熱された温風を吹出し口から吹出す送風手段３０と、熱交換手段２０から落下した水を溜める排水タンク４０とを有し、この排水タンク４０を、上面が開口された箱状のタンク本体４１と、タンク本体４１内に立設されたハンドル６５と、ハンドル６５が挿通される穴５２を有しタンク本体４１の上面にセットされる蓋体５０とによって構成し、蓋体５０のハンドルが挿通される穴５２を閉塞する閉塞手段を設けた。【選択図】図１
2007237121.tif 000002
【特許請求の範囲】
【請求項１】
外気を吸引して除湿された空気を加熱する熱交換手段と、前記加熱された温風を吹出し口から吹出す送風手段と、前記熱交換手段から落下した水を溜める排水タンクとを有し、
前記排水タンクを、上面が開口された箱状のタンク本体と、該タンク本体内に立設されたハンドルと、該ハンドルが挿通される穴を有し前記タンク本体の上面にセットされる蓋体とによって構成し、前記蓋体のハンドルが挿通される穴を閉塞する閉塞手段を設けたことを特徴とする除湿機。
【請求項２】
蓋体の吸込み口から吸引した外気を冷却、除湿する蒸発器、及び該冷却、除湿された空気を加熱する凝縮器と、前記外気を吸引し凝縮器で加熱された温風を吹出し口から吹出す送風手段と、前記蒸発器から落下した水を溜める排水タンクとを有し、
前記排水タンクを、上面が開口された箱状のタンク本体と、下端部が前記タンク本体に取付けられて立設された一対の脚部及びその上に設けた握り部からなるハンドルと、該ハンドルが挿通されるハンドル挿通穴を有し、前記タンク本体の上面にセットされる蓋体とによって構成し、
前記蓋体をタンク本体にセットしたときに前記ハンドルが挿通されたハンドル挿通穴を閉塞する閉塞手段を設けたことを特徴とする除湿機。
【請求項３】
前記蓋体に設けたハンドル挿通穴の内周縁に下方に突出するリブを設けたことを特徴とする請求項１又は２記載の除湿機。
【請求項４】
前記ハンドル挿通穴の閉塞手段を、前記ハンドルの脚部の間において前記蓋体のハンドル挿通穴に対応した位置に設けた梁によって構成したことを特徴とする請求項２又は３記載の除湿機。
【請求項５】
前記ハンドルの脚部に、上端部が前記ハンドル挿通穴に設けたリブの下端部に当接する幅広部を設けたことを特徴とする請求項３又は４記載の除湿機。
【請求項６】
前記ハンドルの脚部の間及び外周を囲繞して前記ハンドル挿通穴に設けたリブの下端部に当接するフランジを設けたことを特徴とする請求項３又は４記載の除湿機。
【請求項７】
前記ハンドル挿通穴の閉塞手段を、底部と周壁からなり前記ハンドルの脚部の間及び外周を囲繞して前記ハンドル挿通穴に設けたリブの外周に嵌合する断面コ字状の嵌合部によって構成したことを特徴とする請求項２又は３記載の除湿機。
【請求項８】
前記ハンドル挿通穴の閉塞手段を、前記蓋体の上面に沿ってスライドするスライド板によって構成したことを特徴とする請求項１〜３のいずれかに記載の除湿機。
【請求項９】
前記ハンドルの握り部を、脚部に回動可能に設けたことを特徴とする請求項２〜８のいずれかに記載の除湿機。
【請求項１０】
前記蓋体に排水口を設け、該排水口をスライド蓋により開閉するようにしたことを特徴とする請求項１〜９のいずれかに記載の除湿機。
【発明の詳細な説明】
【技術分野】
【０００１】
本発明は、室内の湿気を除去して快適な室内環境を生成するための除湿機に関するものである。
【背景技術】
【０００２】
従来の除湿機に、排水タンクの上面開口部を大小二つからなる着脱自在のタンクフタで覆い、その小さい方のタンクフタに流入口を設けると共に、排水タンクの上方に設置されたドレン受皿から排水タンクへ水を流下する水流下穴を小さい方のタンクフタの上方に位置させて設けたものがある。そして、大タンクフタには小タンクフタが嵌め込まれる開口以外の穴がなく、水捨て作業を行う際、小タンクフタのみを取り外せばよく、かつ排水が出てくるのは小タンクフタを外したあとの開口のみであるので、排水のねらいも定まり、作業し易いとしている（例えば、特許文献１参照）。
【０００３】
【特許文献１】特開２００１−２６３７２２号公報（第２−３頁、図１−５）
【発明の開示】
【発明が解決しようとする課題】
【０００４】
特許文献１の除湿機に設けた排水タンクは、上面開口部を着脱自在に覆う大タンクフタと、この大タンクフタに設けた水捨て用開口に着脱自在に装着した小タンクフタとを設け、排水時には小タンクフタを取外して開口から排水するようにしているので、排水の都度小タンクフタを着脱しなければならのいので面倒であるばかりでなく、小さい小タンクフタを紛失するおそれがあった。
また、排水の際は重い排水タンクを排水場所まで抱えて運ばなければならないので、排水作業が面倒で、手や衣類を濡したり汚したりすることがあった。
【０００５】
このような問題を解消するために、図１７，図１８に示すように、排水タンクにハンドルを設けたものがある。この排水タンクは、排水タンク本体１００に底部から上部に達する一対の支柱１０１ａ，１０１ｂを立設し、その上部に設けた支持軸１０２にハンドル１０３を回動自在に枢支する。また、周縁部に設けた嵌合部１０６が排水タンク本体１００の周壁の上端部に着脱可能に嵌合する蓋体１０５のほぼ中央部に凹部１０７を向けると共に、凹部１０７の支柱１０１ａ，１０１ｂに対応する位置にハンドル穴１０８を設けたものである。なお、１０９は凹部５７の一方の側において蓋体１０５に設けた漏斗状の流水部、１１０は流水部１０９の最低部に設けた流水穴、１１２は排水穴１１１に着脱自在に設けた排水蓋である。
【０００６】
上記のように構成した排水タンクは、図に示すように、ハンドル１０３を回動して凹部１０７内に収納し、除湿機の筐体の下部に設けた開口部から、流水部１０９をドレン口に臨ませて排水タンク収容部に収容される。
そして、排水タンク内に溜った水を捨てる場合は、排水タンクを筐体から引出してハンドル１０３を回動し、図１８に２点鎖線で示すように、ほぼ垂直に立てて手で持ち、排水場所まで運搬して排水穴１１１の排水蓋１１２を取外し、排水する。
排水が終ったときは、排水蓋１１２で排水穴１１１を閉塞し、ハンドル１０３を持って排水タンクを除湿機の位置まで運び、ハンドル１０３を回動して凹部１０７に収納し、開口部から排水タンク収容部に収容する。
【０００７】
上記のような排水タンクによれば、ハンドル１０３を持って排水場所まで運ぶことができるので便利であるが、ハンドル１０３が支柱１０１ａ，１０１ｂに対して回動自在に取付けられているため、運搬中に、図１９に示すように、ハンドル１０３を中心に左右が上下に揺れるため、大きなハンドル穴１０８から水がこぼれて手や衣類を濡したり汚したりするという問題がある。
また、蓋体１０５は成形収縮時に内側に反りが発生し易いため、凹部１０７、したがってハンドル穴１０８が下に下って水面との距離が狭くなるため、ハンドル穴１０８からいっそう水がこぼれ易くなる。さらに、排水の際はその都度排水蓋１１２を着脱しなければならないので、面倒であるばかりでなく、排水蓋１１２を紛失するおそれがあった。
【０００８】
本発明は、上記の課題を解決するためになされたもので、ハンドルを備えた排水タンクの蓋体に設けたハンドル挿通穴から、運搬中などに水がこんぼれるおそれのない排水タンクを備えた除湿機を提供することを目的としたものである。
また、排水タンクからの排水が簡単で、排水穴を塞ぐスライド蓋を紛失するおそれのない除湿機を提供することを目的としたものである。
【課題を解決するための手段】
【０００９】
本発明に係る除湿機は、外気を吸引して除湿された空気を加熱する熱交換手段と、前記加熱された温風を吹出し口から吹出す送風手段と、前記熱交換手段から落下した水を溜める排水タンクとを有し、前記排水タンクを、上面が開口された箱状のタンク本体と、該タンク本体内に立設されたハンドルと、該ハンドルが挿通される穴を有し前記タンク本体の上面にセットされる蓋体とによって構成し、前記蓋体のハンドルが挿通される穴を閉塞する閉塞手段を設けたものである。
【発明の効果】
【００１０】
本発明は、ハンドルを有する排水タンクの蓋体に設けたハンドル挿通穴を塞ぐようにしたので、排水タンクに溜った水を捨てるためにハンドルを持って移動する際などに、ハンドル挿通穴から水がこぼれることがない使い勝手のよい排水タンクを備えた除湿機を得ることができる。
【発明を実施するための最良の形態】
【００１１】
［実施の形態１］
図１は本発明の実施の形態１に係る除湿機の縦断面図、図２は図１のＡ−Ａ断面図である。なお、以下の説明では、図の右側を前面側又は上流側といい、左側と後面側又は下流側という。
筐体１内の下部には下部仕切板５が設けられており、下部仕切板５と天板４との間には、後面側に片寄って前後を仕切る隔壁６が設けられている。なお、５ａは筐体１内の上部において、前面板２ａと隔壁６との間に設けられた上部仕切板である。
【００１２】
前面板２ａの下部仕切板５と上部仕切板５ａとの間には室内空気（以下、外気という）の吸込み口７が設けられており、また、下部仕切板５のほぼ中央部には排水手段であるドレン口８が設けられて、下部仕切板５のドレン口８の前面側は、ドレン口８に向って傾斜する傾斜面が設けられている。９は後面側の上部において、天板４から後面板２ｂにかけて開口した吹出し口で、手動又はモータに駆動されて軸１０ａを中心に回動する可動ルーパ１０により、吹出し口１０の開度が調整されるようになっている。
【００１３】
天板４の前面側には操作部１１が設けられており、操作部１１の下部の筐体１内には、除湿機の運転を制御する制御部１２が設けられている。１３は下部仕切板５の下部において、筐体１の後面板２ｂに設けた開口部で、後述の排水タンク４０がこの開口部１３から排水タンク収容部１４に収容される。なお、図には排水タンク４０を出し入れする開口部１３を、筐体１の後面板２ｂに設けた場合を示したが、筐体１の側面板３ａ，３ｂのいずれか一方に設けてもよい。１５は筐体１の上部に設けたスライド式のハンドル、１６は吸込み口７の下流側に配設されたフィルタである。
【００１４】
２１は下部仕切板５の下部に設置された圧縮機、２２はフィルタ１６の下流側に配置された蒸発器、２３はこの蒸発器２２の下流側に配置された凝縮器である。
これら圧縮機２１、蒸発器２２、凝縮器２３は、図３に示すように、冷媒配管２４によりループ状に接続されており、凝縮器２３と蒸発器２２との間には減圧弁２５が接続され、圧縮機２１と凝縮器２３との間、減圧弁２５と蒸発器２２との間にはバイパス管２６が設けられて電磁弁２７が接続されて、これらにより冷媒サイクル手段２０（熱交換手段）が構成されている。
【００１５】
再び図１，図２において、凝縮器２３の下流側において、隔壁６に設けた開口部６ａの下流側には送風手段である送風機３０が配設されており、この送風機３０は、隔壁６の開口部６ａの上流側に設けた支持腕３１に取付けたモータ３２により回動駆動される。
【００１６】
４０は合成樹脂成形品からなり、筐体１の開口部１３から出し入れされて排水タンク収容部１４に収容される排水タンクで、図４〜図８に示すように、上面が開口された箱状のタンク本体４１と、タンク本体４１の前面側に取付けられた前面パネル４５と、タンク本体４１の上面開口部を閉塞する蓋体５０と、タンク本体４１に取付けられたハンドル６５とからなっている。
【００１７】
タンク本体４１の底部には、図５〜図８に示すように、係止穴４３を有する一対のハンドル固定部４２ａ，４２ｂが対向して設けられている。また、タンク本体４１の前面側（ここでは、図５，図６の左側）には、筐体１の開口部１３とほぼ等しい大きさで、排水タンク４０を筐体１の排水タンク収容部１４に収容したときに、開口部１３を閉塞する前面パネル４５が設けられており、その下部には手掛部４６が設けられている。なお、図示してないが、前面パネル４５には、タンク本体４１内の水の溜り状態を目視する透明窓が設けられている。この前面パネル４５は省略し、筐体１の開口部１３を扉により開閉するようにしてもよい。
【００１８】
蓋体５０の外周の両側縁と後縁の下面には、タンク本体４１の周壁の上端部に嵌合する嵌合部５１が設けられており、中央部には前後方向に長いハンドル挿通穴５２が開口し、その内周縁の下面には下方に向うリブ５３が設けられている。なお、このハンドル挿通穴５２の前後方向の長さは、タンク本体４１の底部に設けたハンドル固定部４２ａ，４２ｂの外壁間の間隔にほぼ対応する。
【００１９】
また、蓋体５０のハンドル挿通穴５２の一方の側には、ほぼ漏斗状の流水部５４が形成されており、その最低部には流水口５５が開口している。
５６は蓋体５０の隅部に設けられた排水口で、図５，図９に示すように、その外周上面には、前部側を除いてＵ字状のガイド壁５７が立設されており、ガイド壁５７の内壁にはガイドリブ５８が対向して設けられている。この排水口５６を開閉するスライド蓋５９の両側壁には、排水口５６のガイドリブ５８に摺動可能に嵌合する溝６０が設けられ、上面には複数のすべり止め６１が突設されている。
【００２０】
ハンドル６５は、図６〜図８に示すように、蓋体５０に設けたハンドル挿通穴５２の前後方向の長さとほぼ等しい間隔の一対の脚部６６ａ，６６ｂと、その上端部に一体に設けた握り部６７とにより門形状に形成さえており、脚部６６ａ，６６ｂの下部には、タンク本体４１の底部に設けたハンドル固定部４２ａ，４２ｂの係止穴４３に係止する係止突部６８が設けられている。そして、両脚部６６ａ，６６ｂ間の上部には、タンク本体４１に蓋体５１を装着したときのハンドル挿通穴５２と対応する位置に、ハンドル挿通穴５２の幅とほぼ等しい幅の梁６９が設けられている。
【００２１】
上記のような排水タンク４０を組立てるには、前面パネル４５が装着されたタンク本体４１のハンドル固定部４２ａ，４２ｂに、ハンドル６５の脚部６６ａ，６６ｂの下端部を弾性嵌合し、その係止突部６８を係止穴４３に係止させる。これにより、ハンドル６５はタンク本体４１内に立設固定される。
次に、蓋体５０のハンドル挿通穴５２をハンドル６５の握り部６７に嵌合し、外周の嵌合部５１をタンク本体４１の周壁の上端部に嵌合する。これにより排水タンク４０の組立が終了する。このとき、ハンドル６５の握り部６７は蓋体５０の上方に位置し、また、蓋体５０のハンドル挿通穴５２は、ハンドル６５の両脚部６６ａ，６６ｂと梁６９とにより閉塞される。
【００２２】
次に、上記のように構成した本発明の実施の形態に係る除湿機の動作につき、図１〜図３を参照して説明する。
先ず、図１に示すように、筐体１の後壁２ｂに設けた開口部１３から排水タンク収容部１４内に排水タンク４０を収容し、前面パネル４５により開口部１３を閉塞する。このとき、排水口５６はスライド蓋５９によって閉じられており、流水口５４はドレン口８の下方に位置する。なお、図示してないが、筐体１内に設けた電源回路は、コードにより商用電源に接続されている。
【００２３】
次に、操作部１１に設けた運転スイッチをＯＮすると、圧縮機２１がＯＮして電磁弁２７が閉じる。これにより、圧縮機２１が作動し、冷媒が圧縮されて高温、高圧となった冷媒が凝縮器２３に送られて放熱され、常温、高圧の冷媒となる。この冷媒は減圧器２５により減圧されて蒸発器２２に送られ、低温、定圧となった冷媒は圧縮機２１に送られ、以後この動作を繰り返す。
【００２４】
一方、運転スイッチをＯＮすることにより送風機３０が駆動され、吸込み口７から吸引された室内の空気（以下、外気という）は、フィルタ１６により清浄化されて蒸発器２２により露点以下に冷却されると共に除湿され、凝縮器２３により加熱されて温風となり、矢印で示すように、吸出し口９から室内に吹出し、室内の空気を除湿する。この間、蒸発器２２のフィンの間に水分が付着し、その一部は流下してダスト口８から排水タンク４０内に落下し、溜められる。なお、吹出し口９の上方に、例えば洗濯物の如き被乾燥物を吊しておけばこれを乾燥することができる。
【００２５】
この場合、除湿機の運転中あるいは適宜、排水タンク４０の前面パネル４５に設けた透明窓から排水タンク４０内を目視し、水が一杯になったときは排水タンク４０を開口部１３から引出し、ハンドル６５の握り部６７を持って排水場所まで運び、スライド蓋５９により排水口５６を開き、排水タンク４０を傾けて排水する。
【００２６】
排水が終わったときは、スライド蓋５９により排水口５６を閉じ、ハンドル６５を持って除湿機の位置まで運び、再び開口部１３から排水タンク収容部１４内に収容し、セットする。なお、例えばタンク本体４１内に水位センサを設けると共に、操作部１１に排水タンク４０内の水の状態を表示する表示灯を設け、水位がある位置に達したときは表示灯を点灯するなど、適宜の手段により排水タンク４０内の水の状態を検知することができる。
【００２７】
図１０〜図１３は本実施の形態に係る除湿機の排水タンクの他の例の説明図である。
図１０はハンドル６５の両脚部６６ａ，６６ｂに、蓋体５０をタンク本体４１にセットしたときの、ハンドル固定部４２ａ，４２ｂの上端部と蓋体５０のハンドル挿通穴５２の下面に設けたリブ５３の下端部間に対応する範囲の両側に突出部を設け、この部分を幅広に形成して（以下、この部分を幅広部７０という）、上下に段部７１ａ，７１ｂを設けたものである。
【００２８】
このように構成したことにより、タンク本体４１に蓋体５０をセットしたときに、脚部６６ａ，６６ｂと梁６９によりハンドル挿通穴５２を閉塞すると共に、幅広部７０の段部７１ａにより蓋体５０の中央部近傍が下方に下るのを防止することができる。また、水が溜った排水タンク４０をハンドル６５を持って運ぶときに、幅広部７０の段部７１ａが蓋体５０のリブ５３に密着するので、蓋体５０が動揺することがなく、さらに、ハンドル６５とハンドル挿通穴５２の間のすき間をなくすことができるので、水の漏れをより確実に防止することができる。なお、この幅広部７０は上記範囲の全長に設けなくてもよく、段部７１ａがリブ５３に当接するように、脚部６６ａ，６６ｂの上部だけに設けてもよい。
【００２９】
図１１はハンドル６５の両端部６６ａ，６６ｂと梁６９の下端部の外周に、蓋体５０をタンク本体４１にセットしたときの、蓋体５０のハンドル挿通穴５２の下面に設けたリブ５３の下端部に対応する位置に、脚部６６ａ，６６ｂと直交してフランジ７２を設けたものである。
本例においても、図１０の場合とほぼ動揺の効果を得ることができる。
【００３０】
図１２はハンドル６５に設けた梁６９を省略し、図１２（ｂ）に示すように、蓋体５０をタンク本体４１にセットしたときのリブ５３の下端部に対応する位置の脚部６６ａ，６６ｂの間及び外周を囲繞して、底部７４と周壁７５とからなる断面コ字状の嵌合部７３を設けたもので、脚部６６ａ，６６ｂの外壁と嵌合部７３の周壁７５の内壁面との間のすき間７６は、リブ５３の厚みとほぼ等しく形成されている。
【００３１】
このように構成したことにより、図１２（ａ）に示すように、タンク本体４１に蓋体５０をセットするときに嵌合部７３が位置決めになると共に、リブ５３がすき間７６に嵌合して、嵌合部７３の底部７４と周壁７５とによりノズル挿通穴５２を確実に閉塞することができる。
なお、図１３に示すように、蓋体５０のリブ５３の外周に、第２のリブ５３ａを設け、両リブ５３，５３ａの間に嵌合部７３の周壁７５を嵌合するようにしてもよい。
【００３２】
本実施の形態によれば、タンク本体４１の底部に、蓋体５０に設けたハンドル挿通穴５２の閉塞手段を備えたハンドル６５の下端部を取付け、ハンドル挿通穴５２にハンドル６５を嵌合して蓋体５０をタンク本体４１にセットしたときに、ハンドル６５に設けた閉塞手段によりハンドル挿通穴５２を自動的に閉塞するようにしたので、排水タンク４０に溜った水を捨てる際に、ハンドル挿通穴５２から水がこぼれることがない。このため、手や衣類を濡したり汚したりすることがないので、使い勝手のよい除湿機を得ることができる。
また、排水タンク４０の蓋体５０に設けた排水口５６をスライド蓋５９で開閉するようにしたので、作業が容易であるばかりでなく、スライド蓋６９を紛失することもない。
【００３３】
［実施の形態２］
図１４は本発明の実施の形態２に係る除湿機の排水タンクの説明図である。なお、実施の形態１と同じ部分にはこれと同じ符号付し、説明を省略する。
実施の形態１においては、排水タンク４０のハンドル６５を、脚部６６ａ，６６ｂと握り部６７を一体に形成し、蓋体５０をタンク本体１にセットしたときは、蓋体５０のハンドル挿通穴５２から握り部６７が突出する場合を示したが、本実施の形態は、実施の形態１のいずれかのハンドル６５において、脚部６６ａ，６６ｂと握り部６７を別体に構成し、脚部６６ａ，６６ｂに設けたノズル挿通穴５２の閉塞手段（図には、図１０場合が示してある）の上方において、握り部６７を軸７７により回動可能に取付けたものである。
【００３４】
本実施の形態の作用、効果は、実施の形態１の場合とほぼ同様であるが、さらに、ハンドル６５の握り部６７ａを破線で示すように、蓋体５０の面とほぼ平行になるまで回動させることができるので、除湿機の排水タンク収納部１４の高さが低い場合でも、排水タンク４１を収容することができる。
【００３５】
［実施の形態３］
図１５は本発明の実施の形態３に係る除湿機の排水端タンクの要部を示す説明図、図１６は排水タンクの蓋体に設けたハンドル挿通穴を閉じた状態を示す断面図である。なお、実施の形態１と同じ部分には、これと同じ符号を付してある。
両図において、５２は蓋体５０に設けたハンドル挿通穴で、６６ａ，６６ｂはハンドル挿通穴５２に嵌合したハンドル６５の脚部の位置を示す。なお、流水部５４、排水口５６は実施の形態１の場合と同様である。
【００３６】
７８はハンドル挿通穴５２を開閉するスライド板で、その長さＬはハンドル６５の脚部６６ａ，６６ｂの内のり間隔Ｌ１とほぼ等しく、その幅ｗはハンドル挿通穴５２の幅ｗ１より広く形成されている。７９はスライド板７８に設けたつまみである。８０ａ，８０ｂはスライド板７８の両側において蓋体５０の上面に設けたＬ字状の一対のガイド体で、スライド板７８はこのガイド体８０ａ，８０ｂの間に挿入され、ガイド体８０ａ，８０ｂに沿って蓋体５０上を矢印方向（前後方向）にスライドする。なお、その他の構成は、実施の形態１の場合と同様であり、また、図示してないが、本実施の形態においては、ハンドル６５には梁６９の如き閉塞手段が設けられておらず、ハンドル６５は門型又は実施の形態２のように握り部６７が回動しうるように構成されている。
【００３７】
上記のような蓋体５０をタンク本体４１にセットするにあたっては、つまみ７９を持ってスライド板７８をガイド体８０ａ，８０ｂに沿って矢印ｂ方向にスライドさせ、ハンドル挿通穴５２を開放する。このとき、スライド板７８がガイド体８０ａ，８０ｂから抜け出さないようにストッパを設けてもよい。そして、実施の形態１の場合と同様に、ハンドル挿通穴５２をハンドル６５に嵌合し、蓋体５０をタンク本体４１にセットする。
ついで、つまみ７９を持ってスライド板７８を矢印ａ方向にスライドさせてハンドル６５の脚部６６ａ，６６ｂの間に挿入し、ハンドル挿通穴５２を閉塞する。なお、このときスライド板７８が移動しないようにストッパ等を設けてもよい。
【００３８】
本実施の形態の作用、効果は実施の形態１の場合とほぼ同様であるが、蓋体１の上面に沿ってスライドするスライド板７８を設け、このスライド板７８をスライドさせてハンドル挿通穴５２を閉塞するようにしたので、ハンドル６５にハンドル挿通穴５２を閉塞する閉塞手段を設ける必要がないため、ハンドル６５の構造が簡単で製造が容易である。
【００３９】
上記の説明では、図示の除湿機に本発明を実施した場合を示したが、本発明はこれに限定するものではなく、例えば、筐体の前面側の上下に外気の吸込み口を設け、上部の吸込み口の下流側に蒸発器を配設すると共に、下部の吸込み口の下流側に凝縮器を配設し、１台の送風機により、上部の吸込み口から吸引された外気を蒸発器により冷却、除湿した空気と、下部の吸込み口から吸引された外気を凝縮器により加熱した温風とを、吹出し口から室内に吹出すようにした除湿機など、他の構造の除湿機にも本発明を実施することができる。
【００４０】
また、上記の説明では、ハンドル６５をタンク本体４１の前後方向に取付け、蓋体５０にこれに対応して前後方向にハンドル挿通穴５２を設けた場合を示したが、ハンドル６５をタンク本体４１の前後方向と直交して取付け、蓋体５０にこれに対応して前後方向と直交してハンドル挿通穴を設けてもよい。なお、ハンドル６５の握り部６９を上部になるに従って正面ほぼ台形状に形成してもよく、これにより、蓋体５０をタンク本体４１にセットする際に、ハンドル挿通穴５２をハンドル６５に嵌合し易くなる。
【図面の簡単な説明】
【００４１】
【図１】本発明の実施の形態１に係る除湿機の縦断面図である。
【図２】図１のＡ−Ａ断面図である。
【図３】図１の冷凍サイクル手段の説明図である。
【図４】図１の排水タンクの斜視図である。
【図５】図４の排水タンクの上面図である。
【図６】図５のＢ−Ｂ断面図である。
【図７】図５のＣ−Ｃ断面図である。
【図８】図６のハンドル固定部とハンドル斜視図である。
【図９】図５の排水口の断面図である。
【図１０】実施の形態１の排水タンクの他の例の説明図である。
【図１１】実施の形態１の排水タンクの他の例の説明図である。
【図１２】実施の形態１の排水タンクの他の例の説明図及び要部の斜視図である。
【図１３】図１２の他の例の説明図である。
【図１４】本発明の実施の形態２に係る除湿機の排水タンクの説明図である。
【図１５】本発明の実施の形態３に係る除湿機の排水タンクの要部の説明図である。
【図１６】図１５のスライド板によりハンドル挿通穴を閉じた状態を示す断面図である。
【図１７】従来の除湿機の排水タンクの平面図である。
【図１８】図１７のＤ−Ｄ断面図である。
【図１９】図１７の作用説明図である。
【符号の説明】
【００４２】
１  筐体、５  下部仕切板、６  隔壁、７  吸込み口、８  ドレン口、９  吹出し口、１４  排水タンク収容部、１６  フィルタ、２０  冷凍サイクル手段、２１  圧縮機、２２  蒸発器、２３  凝縮器、３０  送風機、４０  排水タンク、４１  タンク本体、４２ａ，４２ｂ  ハンドル固定部、４５  前面パネル、５０  蓋体、５２  ハンドル挿通穴、５３  リブ、５４  流水部、５６  排水口、５９  スライド蓋、６５  ハンドル、６６ａ，６６ｂ  脚部、６７  握り部、６９  梁、７０  幅広部、７１ａ，７１ｂ  段部、７２  フランジ、７３  嵌合部、７４  底部、７５  周壁、７８  スライド板、８０ａ，８０ｂ  ガイド体。
【図１】
2007237121.tif 000003
【図２】
2007237121.tif 000004
【図３】
2007237121.tif 000005
【図４】
2007237121.tif 000006
【図５】
2007237121.tif 000007
【図６】
2007237121.tif 000008
【図７】
2007237121.tif 000009
【図８】
2007237121.tif 000010
【図９】
2007237121.tif 000011
【図１０】
2007237121.tif 000012
【図１１】
2007237121.tif 000013
【図１２】
2007237121.tif 000014
【図１３】
2007237121.tif 000015
【図１４】
2007237121.tif 000016
【図１５】
2007237121.tif 000017
【図１６】
2007237121.tif 000018
【図１７】
2007237121.tif 000019
【図１８】
2007237121.tif 000020
【図１９】
2007237121.tif 000021